(57)【要約】【課題】簡易な構造で、製造が容易であり、しかも積み重ねて梱包・搬送・保管することができるブックスタンドを提供する。【解決手段】ブックスタンド１０は、略長方形状の底板部２１と、その底板部２１の相対する二つの端縁に連なると共に底板部２１に対して略垂直に形成された一対の側板部３１ａ，３１ｂとを備える。底板部２１の略中央部には円形状の孔部２２が形成されている。このため、一対の側板部３１ａ，３１ｂを押し広げると、一対の側板部３１ａ，３１ｂの連なっている二つの端縁の各々から略等距離にある底板部２１の中間部分が容易に湾曲し、ブックスタンド１０は略Ｗ字状に変形する。このように各ブックスタンド１０を略Ｗ字状に変形することにより、複数のブックスタンド１０，１０，・・・を互いに密着した状態で積み重ねることができる。【選択図】図５
2011056105.tif 000002
【特許請求の範囲】
【請求項１】
略四角形状の底板部と、その底板部の相対する二つの端縁に連なると共に前記底板部に対して略垂直に形成された一対の側板部とを備え、前記側板部により本を倒れないように支持するブックスタンドにおいて、
前記底板部に孔部を形成することにより又は（及び）前記一対の側板部が連なっていない側の前記底板部の両側部に切欠き部を形成することにより、前記一対の側板部を押し広げたときに、前記孔部又は（及び）前記切欠き部を形成したことによって前記底板部の奥行方向における前記孔部又は（及び）前記切欠き部を除いた長さが最も短くなった前記底板部の所定部分が湾曲するように構成されていることを特徴とするブックスタンド。
【請求項２】
前記底板部の略中央部に前記孔部を形成することにより又は（及び）前記一対の側板部が連なっていない側の前記底板部の両側部における略中央部に前記切欠き部を形成することにより、前記一対の側板部を押し広げたときに前記一対の側板部の連なっている前記二つの端縁の各々から略等距離にある前記底板部の中間部分が湾曲するように構成されていることを特徴とする請求項１記載のブックスタンド。
【請求項３】
前記底板部及び前記一対の側板部は金属又は樹脂で作製されていることを特徴とする請求項１又は２記載のブックスタンド。
【発明の詳細な説明】
【技術分野】
【０００１】
本発明は、本を倒れないように支持するためのブックスタンドに関するものである。
【背景技術】
【０００２】
従来より、少数の本を机やテーブル等の上に置く場合、本を倒れないように支持するためのブックスタンドが用いられている。一般的なブックスタンドは、底部と、この底部の両端に固定された一対の側部と、これらの側部の間に架設された背部とを備えて構成されている。このブックスタンドに本を入れると、一対の側部により本が倒れるのを防止することができる。以下では、かかる形状のブックスタンドをＵ字型のブックスタンドとも称する。
【０００３】
また、最近では、一対の側部をそれぞれ回動可能に構成すると共に背部を側部の周縁に沿って移動可能に構成し、背部を側部の上縁部に移動させることにより一対の側部を倒して折り畳むことができるブックスタンドが提案されている（例えば、特許文献１参照。）。
【先行技術文献】
【特許文献】
【０００４】
【特許文献１】特開２００３−２９９５２７号公報
【発明の概要】
【発明が解決しようとする課題】
【０００５】
ところで、ブックスタンドは一個だけで使用されるだけでなく、複数個同時に使用されることがある。例えば多くの本を机等の上に置く場合には、複数のブックスタンドが必要となる。このように、複数のブックスタンドを必要とする場合、従来のＵ字型のブックスタンドはその構造上、積み重ねることが難しい。このため、複数のブックスタンドを文房具店等で購入して持ち帰るときに、嵩張り不便であった。また、従来のＵ字型のブックスタンドは積み重ねることが難しいので、複数のブックスタンドを梱包するときの梱包作業に手間がかかるという問題がある。更に、従来のＵ字型のブックスタンドには、多数のブックスタンドを搬送・保管する際に大きなスペースが必要になるという問題がある。一方、ブックスタンドとして、上記の先行技術に開示されている折り畳み可能な構造のものを使用すれば、複数のブックスタンドを搬送・保管する際に大きなスペースを必要としない。しかしながら、この折り畳み可能なブックスタンドは、その構造が複雑なものとなり、製造コストがかさむという別の問題がある。
【０００６】
本発明は上記事情に基づいてなされたものであり、簡易な構造で、製造が容易であり、しかも積み重ねて梱包・搬送・保管することができるブックスタンドを提供することを目的とするものである。
【課題を解決するための手段】
【０００７】
上記の目的を達成するための本発明は、略四角形状の底板部と、その底板部の相対する二つの端縁に連なると共に底板部に対して略垂直に形成された一対の側板部とを備え、側板部により本を倒れないように支持するブックスタンドにおいて、底板部に孔部を形成することにより又は（及び）一対の側板部が連なっていない側の底板部の両側部に切欠き部を形成することにより、一対の側板部を押し広げたときに、孔部又は（及び）切欠き部を形成したことによって底板部の奥行方向における孔部又は（及び）切欠き部を除いた長さが最も短くなった底板部の所定部分が湾曲するように構成されていることを特徴とする。
【０００８】
上記の構成によれば、本発明のブックスタンドでは、底板部に孔部を形成し、又は（及び）、一対の側板部が連なっていない側の底板部の両側部に切欠き部を形成したことにより、孔部又は（及び）切欠き部が形成されたことによって底板部の奥行方向における孔部又は（及び）切欠き部を除いた長さが最も短くなった底板部の所定部分は構造上、このブックスタンドにおいて強度が最も弱い部分となる。このため、一対の側板部を外側に押し広げることにより、底板部の奥行方向における孔部又は（及び）切欠き部を除いた長さが最も短くなった底板部の所定部分を容易に曲げることができ、ブックスタンドを、正面から見たときに略Ｗ字状になるように変形することができる。したがって、本発明のブックスタンドは、略Ｗ字状に変形して、複数のブックスタンドを互いに密着した状態で積み重ねることができるので、それらの持運びや梱包作業を容易に行うことができる。また、多数のブックスタンドを搬送・保管するためのスペースを大幅に小さくすることができる。尚、搬送等の際に略Ｗ字状に変形したブックスタンドを使用するときには、一対の側板部を内側へ押し戻すことにより、ブックスタンドを元の形状に容易に戻すことができる。また、本発明のブックスタンドは、略四角形状の底板部と、その底板部の相対する二つの端縁に連なる一対の側板部と、上記の孔部又は（及び）切欠き部とを備えるものであり、その構造がシンプルである。このため、本発明のブックスタンドを容易に且つ安価に製造することができる。
【０００９】
また、本発明のブックスタンドは、底板部の略中央部に孔部を形成することにより又は（及び）一対の側板部が連なっていない側の底板部の両側部における略中央部に切欠き部を形成することにより、一対の側板部を押し広げたときに一対の側板部の連なっている二つの端縁の各々から略等距離にある底板部の中間部分が湾曲するように構成されていることが望ましい。この構成によれば、本発明のブックスタンドでは、底板部の略中央部に孔部を形成し、又は（及び）、一対の側板部が連なっていない側の底板部の両側部における略中央部に切欠き部を形成したことにより、一対の側板部の連なっている二つの端縁の各々から略等距離にある底板部の中間部分は構造上、このブックスタンドにおいて強度が最も弱い部分となる。このため、一対の側板部を外側に押し広げることにより、底板部の中間部分を容易に曲げることができ、ブックスタンドを、正面から見たときに略Ｗ字状になるように変形することができる。したがって、本発明のブックスタンドは、略Ｗ字状に変形して、複数のブックスタンドを互いに密着した状態で積み重ねることができるので、複数のブックスタンドの持運びや梱包作業を容易に行うことができる。また、多数のブックスタンドを搬送・保管するためのスペースを大幅に小さくすることができる。尚、搬送等の際に略Ｗ字状に変形したブックスタンドを使用するときには、一対の側板部を内側へ押し戻すことにより、ブックスタンドを元の形状に容易に戻すことができる。
【００１０】
また、上記のように底板部を変形可能に構成するためには、底板部及び一対の側板部を鋼等の金属で作製すればよいが、金属だけに限られず、変形可能な樹脂で作製することもできる。
【発明の効果】
【００１１】
本発明に係るブックスタンドは、その構造がシンプルであるので、容易に且つ安価に製造することができる。また、本発明のブックスタンドは、略Ｗ字状に変形することができるので、複数のブックスタンドを互いに密着した状態で積み重ねることができる。したがって、複数のブックスタンドの持運びや梱包作業を容易に行うことができる。しかも、多数のブックスタンドを搬送・保管するためのスペースを大幅に小さくすることができる。
【図面の簡単な説明】
【００１２】
【図１】図１は本発明の一実施形態であるブックスタンドの概略斜視図である。
【図２】図２は底板部の中間部分を湾曲させて得られた略Ｗ字状のブックスタンドの概略斜視図である。
【図３】図３は本実施形態のブックスタンドの製造方法を説明するための図である。
【図４】図４は本実施形態のブックスタンドの使用方法を説明するための図である。
【図５】図５は複数の略Ｗ字状のブックスタンドを積み重ねたときの様子を示す概略斜視図である。
【図６】図６は底板部に形成する孔部の変形例を示す図である。
【図７】図７は本発明の変形例であるブックスタンドの概略斜視図である。
【図８】図８は底板部に形成する切欠き部の変形例を示す図である。
【発明を実施するための形態】
【００１３】
以下に、図面を参照して、本願に係る発明を実施するための最良の形態について説明する。図１は本発明の一実施形態であるブックスタンドの概略斜視図である。
【００１４】
本実施形態のブックスタンド１０は、本を倒れないように支持するために用いられるものであり、図１に示すように、底板部２１と、一対の側板部３１ａ，３１ｂとを備える。底板部２１は略長方形状に形成されている。一対の側板部３１ａ，３１ｂは、底板部２１の相対する二つの端縁に連なっている。すなわち、側板部３１ａは底板部２１の左の端縁に連なり、側板部３１ｂは底板部２１の右の端縁に連なっている。各側板部３１ａ，３１ｂは略長方形状に形成されている。また、一対の側板部３１ａ，３１ｂはそれぞれ、底板部２１に対して略垂直に形成されている。したがって、本実施形態のブックスタンド１０は、正面から見ると、略Ｕ字状に見えるように形成されている。尚、本実施形態のブックスタンド１０では、一対の側板部３１ａ，３１ｂを支える背板部は設けられない。
【００１５】
一般に、ブックスタンド１０のサイズは、このブックスタンド１０で支持しようとする対象物の大きさに応じて決められる。本実施形態では、特に、ブックスタンド１０でＡ４判の本を支持する場合を考えることにする。この場合には、ブックスタンド１０のサイズを、例えば、横の長さｗ≒１５ｃｍ、高さｈ≒２０ｃｍ、奥行きｄ≒２０ｃｍとしている。すなわち、底板部２１については横の長さが約１５ｃｍ、縦の長さ（奥行き）が約２０ｃｍであり、側板部３１ａ，３１ｂについては横の長さ（奥行き）が約２０ｃｍ、縦の長さ（高さ）が約２０ｃｍである。
【００１６】
また、底板部２１及び一対の側板部３１ａ，３１ｂの材質としては、鋼、ステンレス鋼等を用いることができる。本実施形態では、具体的に、厚さ約１．２ｍｍの鋼板を用いてブックスタンド１０を形成している。このため、本実施形態のブックスタンド１０は高い強度を有しているので、支持する本が側板部３１ａ，３１ｂに寄り掛かっても、側板部３１ａ，３１ｂが倒れたり変形したりしてしまうことはない。
【００１７】
本実施形態では、図１に示すように、底板部２１の略中央部に孔部２２を形成している。この孔部２２は円形状をしており、その半径は約５ｃｍである。かかる孔部２２を底板部２１の略中央部に形成したことにより、一対の側板部３１ａ，３１ｂの連なっている二つの端縁の各々から略等距離にある底板部２１の中間部分Ｍは構造上、このブックスタンド１０において強度が最も弱い部分となる。このため、一対の側板部３１ａ，３１ｂを外側に押し広げると、底板部２１の中間部分Ｍが容易に湾曲する。図２に底板部２１の中間部分Ｍを湾曲させたときのブックスタンド１０の概略斜視図を示す。但し、底板部２１の中間部分Ｍを湾曲させても、側板部３１ａ，３１ｂと底板部２１とのなす角度は変わらない。側板部３１ａ，３１ｂと底板部２１とが互いに連なっている部分は、底板部２１の中間部分Ｍに比べて強い強度を有しているからである。したがって、一対の側板部３１ａ，３１ｂを外側に押し広げて、底板部２１の中間部分Ｍを曲げたときには、正面から見ると、ブックスタンド１０は略Ｗ字状になっている。後に詳述するように、複数のブックスタンド１０を保管等する際には、各ブックスタンド１０を略Ｗ字状に変形することになる。一方、略Ｗ字状に変形したブックスタンド１０は、一対の側板部３１ａ，３１ｂを内側へ押し戻すことにより、底板部２１の中間部分Ｍをフラットな状態にして、元の略Ｕ字状の形状に容易に戻すことができる。
【００１８】
次に、本実施形態のブックスタンド１０の製造方法について説明する。図３は本実施形態のブックスタンド１０の製造方法を説明するための図である。
【００１９】
本実施形態では、ブックスタンド１０を一枚の鋼板を用いて形成している。まず、シャーリング機を使用して、鋼板を所定のサイズにカットする。このカット後の鋼板Ｓは、図３（ａ）に示すように、縦約２０ｃｍ、横約５５ｃｍの長方形状を有している。次に、プレス機を使用して、図３（ｂ）に示すように、その鋼板Ｓの中央部に半径約５ｃｍの円形状の孔部２２を形成する。その後、その鋼板Ｓの左端部を左端から約２０ｃｍの位置で折り曲げると共に、その右端部を右端から約２０ｃｍの位置で折り曲げることにより、図１に示すようなブックスタンド１０が得られる。このように、ブックスタンド１０を容易に製造することができる。
【００２０】
次に、本実施形態のブックスタンド１０の使用方法について説明する。図４は本実施形態のブックスタンド１０の使用方法を説明するための図である。
【００２１】
本実施形態のブックスタンド１０は、本を置きたい場所、例えば机やテーブル等の所定箇所に配置される。そして、図４（ａ）に示すように、そのブックスタンド１０に数冊の本を入れる。これにより、本は一対の側板部３１ａ，３１ｂによって倒れないように支持される。また、本実施形態のブックスタンド１０は、ブックエンドとしても使用することができる。例えば、図４（ｂ）に示すように、二個のブックスタンド１０，１０をそれぞれ、立てられた複数の本の最初と終わりに置くことにより、それらの本を立てたままの状態で支持することができる。この点で、本実施形態のブックスタンドというのは、ブックエンドを含む概念であるということができる。特に、本実施形態のブックスタンドをブックエンドとして使用する場合には、次のような利点がある。すなわち、従来のブックエンドは、２個のブックエンドの間に支持した多数の本が斜めに寄りかかると、ブックエンドが横滑りして、本を支持することが出来なかった。これに対して、本実施形態のブックスタンドは、略Ｕ字状に形成されているので、ブックスタンドに本を入れておけば、ブックスタンドにその本の荷重がかかるため、２個のブックスタンドの間に支持した多数の本が斜めに寄りかかっても、ブックスタンドが横滑りすることほとんどない。尚、本実施形態のブックスタンドを主にブックエンドとして使用する場合には、その横の長さｗが奥行きｄと同じかそれよりも小さくなるように設計することが望ましい。これにより、本実施形態のブックスタンド（ブックエンド）をより小型化することができる。
【００２２】
次に、本実施形態のブックスタンド１０の保管方法を説明する。ここでは、特に、複数のブックスタンド１０，１０，・・・を保管する場合を考える。
【００２３】
まず、各ブックスタンド１０について、一対の側板部３１ａ，３１ｂを外側に押し広げることにより、底板部２１の中間部分が湾曲するように底板部２１を変形する。これにより、複数のブックスタンド１０，１０，・・・はそれぞれ、図２に示すように略Ｗ字状に変形される。次に、このように略Ｗ字状に変形された複数のブックスタンド１０，１０，・・・を積み重ねる。ブックスタンドが元の略Ｕ字状のままであれば、その構造上、積み重ねることが難しいが、この略Ｗ字状に変形されたブックスタンドは何個でも互いに密着した状態で積み重ねることができる。図５に複数の略Ｗ字状のブックスタンド１０，１０，・・・を積み重ねたときの様子を示す。このように複数のブックスタンド１０，１０，・・・を互いに密着した状態で積み重ねることにより、従来のＵ字型のブックスタンドに比べて、小さなスペースに保管することができる。
【００２４】
また、ブックスタンド１０，１０，・・・を保管する場合だけでなく、梱包したり搬送したりする場合にも、ブックスタンド１０，１０，・・・を、図５に示すように積み重ねた状態にする。これにより、複数のブックスタンド１０，１０，・・・の梱包作業を容易に行うことができる。また、従来のＵ字型のブックスタンドに比べて、小さなスペースで多数のブックスタンドを搬送することができる。尚、略Ｗ字状に変形したブックスタンド１０を使用するときには、一対の側板部３１ａ，３１ｂを内側へ押し戻すことにより、各ブックスタンド１０を元の略Ｕ字状の形状に容易に戻すことができる。
【００２５】
本実施形態のブックスタンドでは、底板部の略中央部に孔部を形成したことにより、一対の側板部の連なっている二つの端縁の各々から略等距離にある底板部の中間部分は構造上、このブックスタンドにおいて強度が最も弱い部分となる。このため、一対の側板部を押し広げることにより、底板部の中間部分を容易に曲げることができ、ブックスタンドを、正面から見たときに略Ｗ字状になるように変形することができる。したがって、本発明のブックスタンドは、略Ｗ字状に変形して、互いに密着した状態で積み重ねることができるので、従来のＵ字型のブックスタンドに比べて、複数のブックスタンドの持運びや梱包作業を容易に行うことができる。また、多数のブックスタンドを搬送・保管するためのスペースを大幅に小さくすることができる。
【００２６】
また、本実施形態のブックスタンドは、略長方形状の底板部と、その底板部の相対する二つの端縁に連なる一対の側板部と、底板部の略中央部に形成された孔部とを備えるものであり、その構造がシンプルである。このため、ブックスタンドを容易に且つ安価に製造することができる。
【００２７】
尚、本発明は上記の実施形態に限定されるものではなく、その要旨の範囲内において種々の変形が可能である。
【００２８】
例えば、上記の実施形態では、底板部の略中央部に円形状の孔部を形成した場合について説明したが、孔部の形状は、四角形や六角形等の多角形や楕円等であってもよい。また、孔部を複数形成するようにしてもよい。この場合、例えばスリット状の孔部を複数形成するようにしてもよい。これらの場合であっても、一対の側板部を押し広げることにより、底板部の中間部分を容易に曲げることができる。
【００２９】
ここで、底板部に形成する孔部の変形例について具体的に説明する。図６は底板部に形成する孔部の変形例を示す図である。図６（ａ）の例では、ひし形状の孔部２２ａを底板部２１の略中央部に形成している。図６（ｂ）の例では、二つの楕円形状の孔部２２ｂ，２２ｂを底板部２１の略中央部に底板部２１の奥行き方向に沿って並べて形成している。図６（ｃ）の例では、底板部２１の略中央部に複数の小さな円形状の孔部２２ｃを全体としてひし形になるように形成している。図６（ｄ）の例では、一対の側板部が連なっていない底板部２１の両側部に複数の小さな円形状の孔部２２ｄを全体として三角形状になるように形成している。図６（ｅ）の例では、底板部２１の略中央部に小さな四角形状の孔部２２１ｅを形成すると共に、その孔部２２１ｅの両側にそれぞれ大きな四角形状の孔部２２２ｅ，２２２ｅを形成している。一般に、孔部は、底板部を横方向に沿って等間隔で複数の短冊状部分に分けたときに中央に位置する短冊状部分の面積が最も小さくなるように形成すればよい。
【００３０】
また、上記の実施形態では、底板部の略中央部に孔部を形成した場合について説明したが、かかる孔部を形成する代わりに、底板部の両側部に切欠き部を形成するようにしてもよい。図７は本発明の変形例であるブックスタンド１０ａの概略斜視図である。図７に示す変形例のブックスタンド１０ａでは、一対の側板部３１ａ，３１ｂが連なっていない底板部２１の両側部における略中央部に切欠き部２３，２３を形成している。各切欠き部２３，２３は、半円形状をしており、その半径は約５ｃｍである。このように切欠き部２３を底板部２１の両側部に形成したことにより、一対の側板部３１ａ，３１ｂの連なっている二つの端縁の各々から略等距離にある底板部２１の中間部分は構造上、このブックスタンド１０ａにおいて強度が最も弱い部分となる。このため、一対の側板部３１ａ，３１ｂを押し広げることにより、底板部２１の中間部分を容易に曲げることができる。尚、切欠き部の形状としては、半円形に限らず、例えば三角形や四角形等の多角形や半楕円等であってもよい。また、一対の側板部が連なっていない底板部の各側部において切欠き部を複数形成するようにしてもよい。
【００３１】
ここで、底板部に形成する切欠き部の変形例について具体的に説明する。図８は底板部に形成する切欠き部の変形例を示す図である。図８（ａ）の例では、一対の側板部が連なっていない底板部２１の両側部における略中央部に、凸字状の切欠き部２３ａ，２３ａを形成している。図８（ｂ）の例では、一対の側板部が連なっていない底板部２１の両側部における略中央部に、台形状の切欠き部２３ｂ，２３ｂを形成している。一般に、切欠き部は、底板部を横方向に沿って等間隔で複数の短冊状部分に分けたときに中央に位置する短冊状部分の面積が最も小さくなるように形成すればよい。
【００３２】
また、上記の実施形態では、孔部を底板部の略中央部に形成する場合について説明したが、本発明はこれに限定されるものではなく、孔部は図１の左右、又は（及び）、前後にずらして形成するようにしてもよい。これにより、孔部が形成されたことによって底板部の奥行方向における孔部を除いた長さが最も短くなった底板部の所定部分は構造上、このブックスタンドにおいて強度が最も弱い部分となる。このため、一対の側板部を押し広げることにより、底板部の奥行方向における孔部を除いた長さが最も短くなった底板部の所定部分を容易に曲げることができ、ブックスタンドを、正面から見たときに略Ｗ字状になるように変形することができる。また、図７に示した変形例のブックスタンドにおける切欠き部についても、同様に、図７の左右の何れかにずらして形成するようにしてもよい。これにより、一対の側板部を押し広げたときに、切欠き部を形成したことによって底板部の奥行方向における切欠き部を除いた長さが最も短くなった底板部の所定部分を容易に曲げることができる。
【００３３】
また、上記では、底板部に孔部又は切欠き部を形成する場合について説明したが、本発明はこれに限定されるものではなく、底板部に孔部及び切欠き部の両方を形成するようにしてもよい。
【００３４】
また、上記の実施形態では、底板部が略長方形状である場合について説明したが、本発明はこれに限定されるものではなく、底板部は略四角形状であれば、例えば略正方形状や略台形状等であってもよい。同様に、本発明の側板部は略長方形状に限られるものではなく、略正方形状、略台形状、略半円形状等であってもよい。
【００３５】
更に、上記の実施形態では、底板部及び一対の側板部の材質としては、鋼等の金属を用いた場合について説明したが、底板部及び一対の側板部は変形可能な樹脂で作製してもよい。
【００３６】
加えて、上記の実施形態において、底板部の裏面には滑り止めを設けることが望ましい。ここで、滑り止めとしては、例えばゴム製のものが用いられる。これにより、本実施形態のブックスタンドをブックエンドとして利用する場合、重い本を立て掛けたときにそのブックエンドが横滑りするのを確実に防止することができる。
【産業上の利用可能性】
【００３７】
以上説明したように、本発明のブックスタンドは、その構造がシンプルであるので、容易に且つ安価に製造することができる。また、ブックスタンドを略Ｗ字状に変形して、互いに密着した状態で積み重ねることができるので、複数のブックスタンドの持運びや梱包作業を容易に行うことができる。また、多数のブックスタンドを搬送・保管するためのスペースを大幅に小さくすることができる。したがって、本発明は、本を倒れないように支持するためのブックスタンド又はブックエンドとして用いるのに好適である。
【符号の説明】
【００３８】
１０，１０ａ    ブックスタンド
２１  底板部
２２，２２ａ，２２ｂ，２２ｃ，２２ｄ，２２１ｅ，２２２ｅ  孔部
２３，２３ａ，２３ｂ  切欠き部
３１ａ，３１ｂ  側板部
【図１】
2011056105.tif 000003
【図２】
2011056105.tif 000004
【図３】
2011056105.tif 000005
【図４】
2011056105.tif 000006
【図５】
2011056105.tif 000007
【図６】
2011056105.tif 000008
【図７】
2011056105.tif 000009
【図８】
2011056105.tif 000010